(57)【特許請求の範囲】
【請求項１】
ＡＣ電源と外部機器との両方から給電可能な電子機器であって、
バッテリーと、
ＡＣ電源に接続可能なＡＣ接続部と、
外部機器と相互通信可能に接続でき、かつ前記外部機器から電流の供給を受けることができる外部機器接続部と、
前記ＡＣ電源から前記ＡＣ接続部へ電流が供給されている間は、前記ＡＣ電源で前記バッテリーを充電し、前記ＡＣ電源から前記ＡＣ接続部へ電流が供給されず、かつ、前記外部機器から前記外部機器接続部へ電流が供給されている場合には、前記外部機器の電源で前記バッテリーを充電する制御部とを備え、
前記制御部は、前記バッテリーが前記ＡＣ電源により充電されている間に、前記外部機器接続部が前記外部機器に接続された場合、前記ＡＣ電源による前記バッテリーの充電を中断し、前記外部機器と初期通信を行って、前記外部機器を介して前記バッテリーを充電するために必要な充電設定を行い、前記充電設定の完了後に、前記ＡＣ電源による前記バッテリーの充電を再開する、電子機器。
【請求項２】
前記制御部は、前記バッテリーの充電中には電源オン状態であり、前記バッテリーが前記ＡＣ電源で充電されている間に、前記外部機器接続部が前記外部機器に接続された場合、前記制御部に含まれる複数の制御ブロックのうち前記初期通信及び前記充電設定を行うために必要な制御ブロックを電源オン状態とし、電源オン状態にされた制御ブロックによる前記充電設定の完了後に、当該電源オン状態の制御ブロックを電源オフ状態とする、請求項１に記載の電子機器。
【請求項３】
ＡＣ電源と外部機器との両方に接続可能でバッテリーを搭載し、前記外部機器と相互通信可能に接続でき、かつ前記外部機器から電流の供給を受けることができる電子機器の給電制御方法であって、
前記ＡＣ電源から前記電子機器へ電流が供給されている間は、前記ＡＣ電源で前記バッテリーを充電し、前記ＡＣ電源から前記電子機器へ電流が供給されず、かつ、前記外部機器から前記電子機器へ電流が供給されている場合には、前記外部機器の電源で前記バッテリーを充電し、
前記バッテリーが前記ＡＣ電源により充電されている間に、前記電子機器が前記外部機器に接続された場合、前記電子機器は、前記ＡＣ電源による前記バッテリーの充電を中断し、前記外部機器と初期通信を行って、前記外部機器を介して前記バッテリーを充電するために必要な充電設定を行い、前記充電設定の完了後に、前記ＡＣ電源による前記バッテリーの充電を再開する、給電制御方法。
【請求項４】
前記電子機器は、前記バッテリーが前記ＡＣ電源で充電されている間に、前記電子機器が前記外部機器に接続された場合、前記初期通信及び前記充電設定を行うために必要な制御ブロックを電源オン状態とし、
電源オン状態にされた制御ブロックによる前記充電設定の完了後に、当該電源オン状態の制御ブロックを電源オフ状態とする、請求項３に記載の給電制御方法。
【請求項５】
ＡＣ電源と外部機器との両方に接続可能でバッテリーを搭載し、前記外部機器と相互通信可能に接続でき、かつ前記外部機器から電流の供給を受けることができる電子機器に備えられ、前記電子機器に含まれるコンピュータによって実行される給電制御プログラムであって、
前記ＡＣ電源から前記電子機器へ電流が供給されている間は、前記ＡＣ電源で前記バッテリーを充電し、前記ＡＣ電源から前記電子機器へ電流が供給されず、かつ、前記外部機器から前記電子機器へ電流が供給されている場合には、前記外部機器の電源で前記バッテリーを充電し、
前記バッテリーが前記ＡＣ電源により充電されている間に、前記電子機器が前記外部機器に接続された場合、前記電子機器は、前記ＡＣ電源による前記バッテリーの充電を中断し、前記外部機器と初期通信を行って、前記外部機器を介して前記バッテリーを充電するために必要な充電設定を行い、前記充電設定の完了後に、前記ＡＣ電源による前記バッテリーの充電を再開する、給電制御プログラム。
【請求項６】
前記電子機器は、前記バッテリーが前記ＡＣ電源で充電されている間に、前記電子機器が前記外部機器に接続された場合、前記初期通信及び前記充電設定を行うために必要な制御ブロックを電源オン状態とし、
電源オン状態にされた制御ブロックによる前記充電設定の完了後に、当該電源オン状態の制御ブロックを電源オフ状態とする、請求項５に記載の給電制御プログラム。
【発明の詳細な説明】
【技術分野】
【０００１】
本発明は２種類以上の電源と選択的に接続し、バッテリーを充電する電子機器における給電技術に関する。
【背景技術】
【０００２】
特許文献１は、コンピュータから受信したコマンドに応じて、外部電源と接続して充電するかＵＳＢバスと接続して充電するかを決定するデジタルカメラを開示する。特許文献１に開示されているコンピュータは、ユーザからモードの設定を受け付けるのに応じて、デジタルカメラに電源を変更するコマンドを発行する。
【０００３】
これにより、ユーザがバッテリー容量やＡＣアダプタの接続を意識することなく、画像データの転送やリモート撮影を行うことができる、画像入力システムを提供できる。
【先行技術文献】
【特許文献】
【０００４】
【特許文献１】特開２００６−３５２２５５号公報
【発明の概要】
【発明が解決しようとする課題】
【０００５】
本発明は、２種類以上の電源と接続し、バッテリーを充電可能である場合において、電力供給を受けている電源との接続が解除されると、速やかに他の電源と接続し、バッテリーの充電を開始できる電子機器を提供することを目的とする。
【課題を解決するための手段】
【０００６】
本発明は、ＡＣ電源と外部機器との両方から給電可能な電子機器に関する。本発明に係る電子機器は、バッテリーと、ＡＣ電源に接続可能なＡＣ接続部と、外部機器と相互通信可能に接続でき、かつ外部機器から電流の供給を受けることができる外部機器接続部と、ＡＣ電源から前記ＡＣ接続部へ電流が供給されている間は、ＡＣ電源でバッテリーを充電し、ＡＣ電源からＡＣ接続部へ電流が供給されず、かつ、外部機器から外部機器接続部へ電流が供給されている場合には、外部機器の電源でバッテリーを充電する制御部とを備える。制御部は、バッテリーがＡＣ電源により充電されている間に、外部機器接続部が外部機器に接続された場合、ＡＣ電源によるバッテリーの充電を中断し、外部機器と初期通信を行って、外部機器を介してバッテリーを充電するために必要な充電設定を行い、充電設定の完了後に、ＡＣ電源によるバッテリーの充電を再開する。
【０００７】
さらに、本発明は、ＡＣ電源と外部機器との両方に接続可能でバッテリーを搭載し、外部機器と相互通信可能に接続でき、かつ外部機器から電流の供給を受けることができる電子機器の給電制御方法に関する。本発明に係る給電制御方法では、ＡＣ電源から電子機器へ電流が供給されている間は、ＡＣ電源でバッテリーを充電し、ＡＣ電源から電子機器へ電流が供給されず、かつ、外部機器から電子機器へ電流が供給されている場合には、外部機器の電源でバッテリーを充電し、バッテリーがＡＣ電源により充電されている間に、電子機器が外部機器に接続された場合、電子機器は、ＡＣ電源によるバッテリーの充電を中断し、外部機器と初期通信を行って、外部機器を介してバッテリーを充電するために必要な充電設定を行い、充電設定の完了後に、ＡＣ電源によるバッテリーの充電を再開する。
【０００８】
さらに、本発明は、ＡＣ電源と外部機器との両方に接続可能でバッテリーを搭載し、外部機器と相互通信可能に接続でき、かつ外部機器から電流の供給を受けることができる電子機器に備えられ、電子機器に含まれるコンピュータによって実行される給電制御プログラムに関する。本発明に係る給電制御プログラムは、ＡＣ電源から電子機器へ電流が供給されている間は、ＡＣ電源でバッテリーを充電し、ＡＣ電源から電子機器へ電流が供給されず、かつ、外部機器から電子機器へ電流が供給されている場合には、外部機器の電源でバッテリーを充電し、バッテリーがＡＣ電源により充電されている間に、電子機器が外部機器に接続された場合、電子機器は、ＡＣ電源によるバッテリーの充電を中断し、外部機器と初期通信を行って、外部機器を介してバッテリーを充電するために必要な充電設定を行い、充電設定の完了後に、ＡＣ電源によるバッテリーの充電を再開する。
【発明の効果】
【０００９】
本発明の電子機器は、ＡＣアダプタと接続している場合においても、外部機器によりバッテリーを充電することが可能となると、外部機器によりバッテリーを充電するための充電設定を行う。その結果、本発明の電子機器は、電力供給を受けている電源との接続が解除されると、速やかに他の電源と接続し、バッテリーの充電を開始できる。
【図面の簡単な説明】
【００１０】
【図１】デジタルカメラの構成を示すブロック図
【図２】本発明の実施形態に係るコントローラの内部構成図
【図３】ＵＳＢ接続時にコントローラが行う制御を示すフローチャート
【図４Ａ】本発明の実施形態に係る給電制御方法の一部を示すフローチャート
【図４Ｂ】図４Ａに続く給電制御方法の一部を示すフローチャート
【図５】Ｍａｓｓ Ｓｔｏｒａｇｅモードで行われる制御処理を示すフローチャート
【発明を実施するための形態】
【００１１】
（第１の実施形態）
本発明の実施形態に係るデジタルビデオカメラの構成について図面を用いて説明する。図１は、本実施形態のデジタルビデオカメラ１００の構成を表すブロック図である。デジタルビデオカメラ１００は、撮像光学系１１０により形成された被写体像をＣＣＤ（Ｃｈａｒｇｅ Ｃｏｕｐｌｅｄ Ｄｅｖｉｃｅ）イメージセンサー１６０で撮像する。ＣＣＤイメージセンサー１６０で生成された画像データは、画像処理部１７０で各種処理が施され、メモリカード２４０に格納される。また、メモリカード２４０に格納された画像データは、液晶モニタ２７０で表示可能である。以下、デジタルビデオカメラ１００の構成を詳細に説明する。
【００１２】
デジタルビデオカメラ１００の撮像光学系１１０は、レンズ１１０ａ、ＯＩＳ（Ｏｐｔｉｃａｌ Ｉｍａｇｅ Ｓｔａｂｉｌｉｚｅｒ）１１０ｂ、フォーカスレンズ１１０ｃを含む。撮像光学系１１０を構成する少なくとも１つのレンズ１１０ａは、被写体像を拡大又は縮小するユーザ操作に合わせて、光軸に沿って移動する。ＯＩＳ１１０ｂは、内部に光軸と直交する方向に移動する補正レンズを有し、デジタルビデオカメラ１００の振れを相殺する方向に補正レンズを駆動することにより、被写体像の振れを低減する。フォーカスレンズ１１０ｃは、光学系の光軸に沿って移動することにより、被写体像のピントを調整する。なお、撮像光学系１１０は、分光プリズムを含んでいてもよい。
【００１３】
ズームモータ１３０は、ズーミングの際にレンズ１１０ａを光軸に沿った方向に駆動する。ズームモータ１３０は、カム機構やボールネジなどの機構を介してレンズ１１０ａを駆動するようにしてもよい。検出器１２０は、レンズ１１０ａが光軸上でどの位置に存在するのかを検出する。検出器１２０は、レンズ１１０ａの光軸方向への移動に応じて、ブラシ等のスイッチによりレンズ１１０ａの位置に関する信号を出力する。
【００１４】
ＯＩＳアクチュエータ１４０は、ＯＩＳ１１０ｂ内の補正レンズ１１０ｃを光軸と垂直な面内で駆動する。ＯＩＳアクチュエータ１４０は、平面コイルや超音波モータなどで実現できる。検出器１５０は、ＯＩＳ１１０ｂ内における補正レンズ１１０ｃの移動量を検出する。
【００１５】
ＣＣＤイメージセンサー１６０は、撮像光学系１１０で形成された被写体像を撮像して、画像データを生成する。ＣＣＤイメージセンサー１６０は、露光、転送、電子シャッタなどの各種動作を行う。
【００１６】
ジャイロセンサー２２０は、使用者による手振れを補正するために、使用者の手振れによる角速度情報を得る。ジャイロセンサー２２０は、角速度情報をＯＩＳアクチュエータ１４０に送信し、ＯＩＳアクチュエータ１４０は、この角速度情報に基づいて、手振れを相殺する方向にＯＩＳ内の補正レンズ１１０ｃを駆動する。
【００１７】
内部メモリ２８０は、デジタルビデオカメラ１００全体を制御するための制御プログラム等を格納する。内部メモリ２８０として、フラッシュメモリや強誘電体メモリなどが用いられる。
【００１８】
カードスロット２３０は、機械的及び電気的にメモリカード２４０に接続可能である。メモリカード２４０は、フラッシュメモリや強誘電体メモリなどを内部に含み、データを格納する。
【００１９】
操作部材２５０は、使用者が画像の撮像指示を入力するための部材である。ズームレバー２６０は、使用者がズーム倍率の変更指示を入力するための部材である。
【００２０】
液晶モニタ２７０は、ＣＣＤイメージセンサー１６０で生成した画像データに基づき画像処理部１７０によって処理が施された画像や、メモリカード２４０から読み出した画像データに基づく画像を表示する。
【００２１】
ＵＳＢ接続部２９０は、デジタルビデオカメラ１００とパソコン等の外部機器とを接続するばかりでなく、外部機器から電力供給を受けたり、外部機器のデータを受信したりすることができるインタフェースである。
【００２２】
ＡＣ（Ａｌｔｅｒｎａｔｉｎｇ Ｃｕｒｒｅｎｔ）接続部３００は、デジタルビデオカメラ１００とＡＣ電源とを接続するためのインタフェースである。デジタルビデオカメラ１００は、ＡＣ接続部３００を介して、ＡＣ電源から電力供給を受けることができる。
【００２３】
バッテリー３１０は、デジタルビデオカメラ１００に電力を供給するための充電池である。デジタルビデオカメラでは、バッテリー３１０としてリチウムイオン電池が多く用いられる。ただし、バッテリー３１０は、必ずしもリチウムイオン電池である必要はなく、ニッケル水素電池やニッカド電池等でもよい。
【００２４】
コントローラ２１０は、上述した各部に接続され、デジタルビデオカメラ１００の全体を制御する。以下、コントローラ２１０の内部構成について詳細に説明する。
【００２５】
図２は、コントローラ２１０の内部構成を示す。コントローラ２１０は、給電制御部２１１と、カメラ制御部２１８と、装置制御部２１６と、メモリ２００とを含む。
【００２６】
給電制御部２１１は、ＵＳＢ接続部２９０、ＡＣ接続部３００、及びバッテリー３１０に接続されており、ＵＳＢ接続部２９０と外部機器との接続・切断、ＡＣ接続部３００とＡＣ電源との接続・切断、バッテリー残量を検出することができる。給電制御部２１１は、制御レジスタ２１２を含む。制御レジスタ２１２は、ＵＳＢ接続部２９０を介して接続される外部機器の電源でバッテリー３１０を充電可能か否かを示す情報を少なくとも保持する。この制御レジスタ２１２が保持する情報は、カメラ制御部２１８によって設定される。給電制御部２１１は、デジタルビデオカメラ１００の電源スイッチがオフされている場合でも、ＡＣ接続部３００またはＵＳＢ接続部２９０に電流が供給されている間は、常時オン状態にあって、バッテリー３１０の充電を制御する。より具体的には、ＡＣ接続部３００に電流が供給されている場合には、給電制御部２１１は、ＡＣ接続部３００を介して接続されるＡＣ電源でバッテリー３１０を充電する。これに対し、ＵＳＢ接続部２９０にのみ電流が供給されている場合には、給電制御部２１１は、制御レジスタ２１２に保持される情報がＵＳＢ接続部２９０から充電可能であれば、ＵＳＢ接続部２９０を介して接続される外部機器の電源でバッテリー３１０を充電する。給電制御部２１１が行う給電制御の更なる詳細は後述する。本実施形態では、給電制御部２１１内に制御レジスタ２１２が設けられているが、制御レジスタ２１２に代えて、給電制御部２１１の内部または外部に設けたメモリを上記の情報を記憶するために使用してもよい。
【００２７】
カメラ制御部２１８は、カメラ機能を実現するために必要な制御処理を主として行う。カメラ制御部２１８が行う処理として、例えば、ズーミング、フォーカシング、光学的像ぶれ補正といった撮影光学系の制御、イメージセンサーの駆動を挙げることができる。カメラ制御部２１８は、デジタルビデオカメラ１００の電源スイッチがオフの場合には、基本的にオフ状態にあるが、後述する充電設定を行う間だけオン状態となる。カメラ制御部２１８は、電源スイッチがオフ状態の場合、ＵＳＢ接続部２９０を介して引き込み可能な電流値に基づき、外部機器の電源による充電が可能か否かを判定し、制御レジスタ２１２の値を設定する。カメラ制御部２１８は、外部機器の電源による充電の可否を判定する際に、バッテリー残量を加味してもよい。
【００２８】
装置制御部２１６は、給電制御部２１１が行う制御以外、及び、カメラ制御部２１８が行う制御以外の制御処理を主として行う。装置制御部２１６が行う処理として、例えば、イメージセンサーから出力された画像データに対する画像処理、画像データ圧縮・伸長・符号化、フォーマット変換、メモリカードへのデータ記録、液晶モニタの表示、ＵＳＢ接続部２９０を介した外部機器との相互通信、液晶モニタ上に表示されるＧＵＩの制御を挙げることができる。装置制御部２１６は、ＵＳＢブロック２１７を含む。ＵＳＢブロック２１７は、ＵＳＢ接続部２９０を介して外部機器とＵＳＢ通信を行う。また、これによって、ＵＳＢブロック２１７は、外部機器の電源供給能力に関する情報を取得する。また、カメラ制御部２１８は、電源スイッチがオン状態の場合、ＵＳＢ接続部２９０に供給される電流値と、バッテリー残量とに基づき、Ｍａｓｓ Ｓｔｏｒａｇｅ動作が可能か否かを判定する。ここで、Ｍａｓｓ Ｓｔｏｒａｇｅ動作とは、デジタルビデオカメラ１００が、外部機器接続部２９０を介して接続されている外部機器から、自装置内の記憶媒体への参照を受け付けることが可能な状態で動作することをいう。
【００２９】
メモリ２００は、装置制御部２１６及びカメラ制御部２１８のワークメモリである。メモリ２００として、例えば、ＤＲＡＭ（Ｄｙｎａｍｉｃ Ｒａｎｄｏｍ Ａｃｃｅｓｓ Ｍｅｍｏｒｙ）、強誘電体メモリなどが用いられる。
【００３０】
上記のコントローラ２１０は、ハードウェアのみで実現してもよいし、ハードウェアとソフトウェアとを組み合わせることにより実現してもよい。例えば、コントローラ２１０として、半導体素子、集積回路、あるいはマイコンなどが用いられる。コントローラ２１をハードウェアで実現する場合、装置制御部２１６と、カメラ制御部２１８と、給電制御部２１１とは、１つのハードウェアで実現してもよいし、それぞれ別個のハードウェアで構成してもよい。装置制御部２１６は、画像処理を行うため、ＤＳＰで構成してもよい。一方、後述する給電制御処理をソフトウェアによって実現する場合、コントローラ２１０をプロセッサとメモリで構成し、メモリに読み出した給電制御プログラムをプロセッサに実行させればよい。給電制御プログラムは、フラッシュメモリや光ディスク等の記録媒体に格納した状態で提供できる。
【００３１】
図３は、ＵＳＢ接続時にコントローラが行う制御を示すフローチャートである。
【００３２】
ＡＣ接続部３００がＡＣ電源に接続されて電流の供給を受けている間は、給電制御部２１１は、ＡＣ電源でバッテリー３１０を充電する。ＡＣ接続部３００に電流が供給されている場合において、コントローラ２１０は、ＵＳＢ接続部２９０が外部機器に接続されたかどうか判定する（Ｓ１００）。Ｓ１００の判定は、ＵＳＢ接続部２９０に印加される電圧の変化を給電制御部２１１が検出することで判定できる。コントローラ２１０は、ＵＳＢ接続部２９０が外部機器と接続された場合はＳ１１０に進み、それ以外の場合は（Ｓ１００でＮｏ）、ＵＳＢ接続部２９０が外部機器と接続されるまで待つ。
【００３３】
ＵＳＢ接続部２９０が外部機器と接続されると（Ｓ１００でＹｅｓ）、コントローラ２１０は、電源スイッチがオフであるか否かを判定する。コントローラ２１０は、電源スイッチがオフである場合は（Ｓ１１０でＹｅｓ）、充電モードの処理を行い（Ｓ１２０）、電源スイッチがオンである場合は、Ｍａｓｓ Ｓｔｏｒａｇｅモードの処理を行う（Ｓ１３０）。
【００３４】
図４Ａは、本実施形態に係る給電制御方法の一部を示すフローチャートであり、図４Ｂは、図４Ａに続く給電制御方法の一部を示すフローチャートである。
【００３５】
充電モード（図３のＳ１２０）が開始すると、給電制御部２１１は、ＡＣ接続部３００を介したＡＣ電源でのバッテリー充電を中断する（Ｓ２１０）。給電制御部２１１は、バッテリー充電を中断した後、制御レジスタ２１２を初期化する（Ｓ２２０）。制御レジスタ２１２の初期化後、給電制御部２１１は、カメラ制御部２１８を起動する（Ｓ２３０）。給電制御部２１１により起動されると、カメラ制御部２１８は、装置制御部２１６のうち、ＵＳＢ接続部２９０を介して外部機器とＵＳＢ通信を行うために必要なＵＳＢブロック２１７を起動する（Ｓ２４０）。
【００３６】
カメラ制御部２１８により起動されると、ＵＳＢブロック２１７は、ＵＳＢ接続部２９０を介して外部機器とＵＳＢ初期通信を開始する（Ｓ２５０）。ここで、ＵＳＢ初期通信とは、デジタルビデオカメラ１００がパソコン等の外部機器と接続されたときに行う動作である。具体的には、ＵＳＢブロック２１７は、ＵＳＢ初期通信において、自装置の機能や特徴をパーソナルコンピュータ等の外部機器に通知したり、パーソナルコンピュータ等の外部機器の電流供給能力を確認したりする。ＵＳＢ初期通信が完了すると、ＵＳＢブロック２１７は、ＵＳＢ初期通信で取得した、外部機器の電流供給能力の有無を表す情報をカメラ制御部２１８に渡す（Ｓ２６０）。
【００３７】
カメラ制御部２１８は、ＵＳＢブロック２１７から、外部機器の電流供給能力の有無を表す情報を受け取ると、ＵＳＢブロック２１７をオフする（Ｓ２７０）。ＵＳＢブロック２１７をオフすると、カメラ制御部２１８は、ＵＳＢブロック２１７から受け取った情報に基づいて、接続された外部機器から所定の大きさ（例えば、５００ｍＡ）の電流を引き込み可能であるか否かを判定する（Ｓ２８０）。所定値以上の電流を外部機器から引き込み可能であるとカメラ制御部２１８が判定した場合は（Ｓ２８０でＹｅｓ）、カメラ制御部２１８の制御はＳ２９０へ進み、それ以外の場合は、Ｓ３５０へ進む。
【００３８】
Ｓ２８０でＹｅｓの場合、すなわち、所定値以上の電流を外部機器から引き込み可能であると判定された場合、カメラ制御部２１８は、ＵＳＢ充電設定を行う（Ｓ２９０）。具体的には、カメラ制御部２１８は、給電制御部２１１内の制御レジスタ２１２に、ＵＳＢ接続部２９０を介してバッテリー充電が可能であることを表す情報を書き込む。カメラ制御部２１８は、ＵＳＢ充電設定を完了すると、自らオフ状態となる（Ｓ３００）。カメラ制御部２１８がオフすると、給電制御部２１１は、ＡＣ接続部３００を介してＡＣ電源によるバッテリー充電を再開する（Ｓ３１０）。ＡＣ電源によるバッテリー充電の再開後、給電制御部２１１は、ＡＣ接続部３００から電流が供給されているか否かを監視する（Ｓ３２０）。ＡＣ接続部３００から電流が供給されている間は（Ｓ３２０でＹｅｓ）、給電制御部２１１は、ＡＣ接続部３００を介したＡＣ電源による充電を継続し（Ｓ３３０）、それ以外の場合には（Ｓ３２０でＮｏ）、ＵＳＢ接続部２９０を介した外部機器の電源によるバッテリー充電を開始する（Ｓ３４０）。
【００３９】
一方、Ｓ２８０でＮｏの場合、すなわち、所定値以上の電流を外部機器から引き込めないと判定された場合、カメラ制御部２１８は、自らオフ状態となる（Ｓ３５０）。カメラ制御部２１８がオフすると、給電制御部２１１は、ＡＣ接続部３００を介してＡＣ電源によるバッテリー充電を再開する（Ｓ３６０）。ＡＣ電源によるバッテリー充電の再開後、給電制御部２１１は、ＡＣ接続部３００から電流が供給されているか否かを監視する（Ｓ３７０）。ＡＣ接続部３００から電流が供給されている間は（Ｓ３７０でＹｅｓ）、給電制御部２１１は、ＡＣ接続部３００を介したＡＣ電源による充電を継続し（Ｓ３８０）、それ以外の場合には（Ｓ３７０でＮｏ）、充電エラー動作を開始する（Ｓ３９０）。ここで、充電エラー動作とは、デジタルビデオカメラ１００に設けられた不図示の電源ＬＥＤを点滅させるなどによって、ユーザにＵＳＢ接続部２９０を介したバッテリー充電ができないことを示す動作を指す。
【００４０】
本実施形態に係る給電制御部２１１は、ＵＳＢ接続部２９０が外部機器に接続された際に、外部機器からの電流引き込みの可否を判定し、可能な場合は、ＵＳＢ充電設定を行う。このように予めＵＳＢ充電設定を済ませておくことによって、給電制御部２１１は、ＡＣアダプタが取り外されるなどしてＡＣ電源からの電流が遮断された際に、速やかにＵＳＢ接続部３００を介したバッテリー充電を開始することができる。
【００４１】
また、給電制御部２１１は、ＵＳＢ接続部３００と外部機器との接続時に、コントローラ２１０全体をオンするのではなく、カメラ制御部２１８と、装置制御部２１６の一部（ＵＳＢブロック２１７）のみをオンする。コントローラ２１０のうち、Ｓ２８０及びＳ２９０の処理を行うために必要なブロックのみをオンし、オンしたブロックを不要になった時点でオフすることによって、バッテリー充電時の電力消費量をなるべく抑えることができる。
【００４２】
なお、給電制御部２１１は、外部機器からの引き込み電流が所定の大きさより少なく、ＡＣ接続部３００からも電流供給可能でない場合には、外部機器によるバッテリー３１０の充電を行わない。このようにした理由について説明する。
【００４３】
バッテリー３１０の充電が開始されると、使用者に充電中／充電完了であることを示すために、不図示の電源ＬＥＤは点滅する。したがって、引き込み電流が小さい場合にバッテリー３１０を充電する場合、電源ＬＥＤの点滅による電力消費もあるため、バッテリー３１０の充電の完了に長時間を要する。さらに、引き込み電流が非常に小さい場合にはそもそも充電自体ができなかったりする。また、引き込み電流の量に関わらず充電を行おうとすると、使用者は、電源ＬＥＤの点滅開始を見ても、いつバッテリー３１０の充電が完了するかを予測できない。従って、バッテリー３１０の充電に要する時間をユーザが不便を被らない程度に短くするために、給電制御部２１１は、外部機器の引き込み電流が所定の大きさより少なく、ＡＣ電源とも接続されていない場合には、外部機器によるバッテリー３１０の充電を行わないこととした。
【００４４】
また、給電制御部２１１は、デジタルビデオカメラ１００がＡＣ電源と外部機器との両方に接続されている場合には、ＡＣ電源によりバッテリー３１０を充電することとした。これは、ＡＣ電源からの方が大きな電流を引き込めるからである。ＡＣ電源によりバッテリー３１０を充電することで、給電制御部２１１は、外部機器接続部２９０を介してバッテリー３１０を充電するよりも、短時間で充電を完了できる。
【００４５】
図５は、Ｍａｓｓ Ｓｔｏｒａｇｅモードで行われる制御処理を示すフローチャートである。
【００４６】
Ｍａｓｓ Ｓｔｏｒａｇｅモードでは（図３のＳ１３０）、装置制御部２１６は、自装置全体の初期化を行う（Ｓ４１０）。自装置全体の初期化を完了すると、装置制御部２１６内のＵＳＢブロック２１７は、ＵＳＢ接続部２９０を介して外部機器とＵＳＢ初期通信を開始する（Ｓ４２０）。具体的には、ＵＳＢブロック２１７は、ＵＳＢ初期通信において、自装置の機能や特徴をパーソナルコンピュータ等の外部機器に通知したり、パーソナルコンピュータ等の外部機器の電流供給能力を確認したりする。
【００４７】
ＵＳＢ初期通信を完了すると、装置制御部２１６は、ＵＳＢ初期通信で取得した情報に基づいて、接続された外部機器から所定の大きさ（例えば、５００ｍＡ）の電流を引き込み可能であるか否かを判定する（Ｓ４３０）。所定値以上の電流を外部機器から引き込み可能であると装置制御部２１６が判定した場合は（Ｓ４３０でＹｅｓ）、装置制御部２１６の制御はＳ４４０へ進み、それ以外の場合は、Ｓ４７０へ進む。
【００４８】
Ｓ４３０でＹｅｓの場合、すなわち、外部機器から所定値以上の電流を引き込み可能であると判定された場合、装置制御部２１６は、カメラ制御部２１８及び給電制御部２１１を介して取得したバッテリー３１０の残量が第１閾値以上であるか否かを判定する（Ｓ４４０）。第１閾値は、例えば、バッテリー容量全体の１０％に該当する値である。装置制御部２１６は、バッテリー３１０の残量が第１閾値以上であると判定した場合（Ｓ４４０でＹｅｓ）、ＵＳＢ接続部２９０を介して外部機器との通信を継続することによって、Ｍａｓｓ Ｓｔｏｒａｇｅ動作を開始し（Ｓ４５０）、それ以外の場合は（Ｓ４４０でＮｏ）、装置制御部２１６は、「バッテリー残量不足のため、Ｍａｓｓ Ｓｔｏｒａｇｅ動作を実行できない」旨の警告表示を、液晶モニタ２７０に表示させる（Ｓ４６０）。さらに、Ｓ４６０において、装置制御部２１６は、ＵＳＢ接続部２９０を介した外部機器との通信を切断し、Ｍａｓｓ Ｓｔｏｒａｇｅ動作を行わない。なお、Ｓ４５０及びＳ４６０において、デジタルビデオカメラ１００は、ＵＳＢ接続部２９０を介して外部機器から引き込んだ電流で動作する。
【００４９】
一方、Ｓ４３０でＮｏの場合、すなわち、外部機器から所定の大きさ以上の電流を引き込めないと判定された場合、装置制御部２１６は、カメラ制御部２１８及び給電制御部２１１を介して取得したバッテリー３１０の残量が第２閾値（ただし、第２閾値＞第１閾値）以上であるか否かを判定する（Ｓ４７０）。この第２閾値は、例えば、バッテリー容量全体の２０％に該当する値である。装置制御部２１６は、バッテリー３１０の残量が第２閾値以上であると判定した場合（Ｓ４７０でＹｅｓ）、ＵＳＢ接続部２９０を介して外部機器との通信を継続することによって、にＭａｓｓ Ｓｔｏｒａｇｅ動作を開始し（Ｓ４８０）、それ以外の場合は（Ｓ４７０でＮｏ）、装置制御部２１６は、「バッテリー残量不足のため、Ｍａｓｓ Ｓｔｏｒａｇｅ動作を実行できない」旨の警告表示を、液晶モニタ２７０に表示させる（Ｓ４９０）。さらに、Ｓ４９０において、装置制御部２１６は、ＵＳＢ接続部２９０を介した外部機器との通信を切断し、Ｍａｓｓ Ｓｔｏｒａｇｅ動作を行わない。なお、Ｓ４８０及びＳ４９０において、デジタルビデオカメラ１００は、外部機器接続部２９０を介して外部機器から電流を引き込まず、バッテリー３１０で動作する。
【００５０】
本実施形態に係るデジタルビデオカメラ１００は、外部機器から引き込める電流の大きさに応じて、Ｍａｓｓ Ｓｔｏｒａｇｅ動作を行わせるために必要なバッテリー３１０の残量の大きさを異ならせている。具体的には、外部機器から電流を引き込める場合には、バッテリー残量がある程度まで減っている場合（第１閾値≦バッテリー残量＜第２閾値の場合）でもＭａｓｓ Ｓｔｏｒａｇｅ動作が可能であるが、外部機器から電流を引き込めない場合には、バッテリー残量が十分ある場合（バッテリー残量≧第２閾値の場合）にのみＭａｓｓ Ｓｔｏｒａｇｅ動作が可能となる。この結果、デジタルビデオカメラ１００は、外部機器からの供給電流を利用して、バッテリー残量が少ない状態でもなるべくＭａｓｓ Ｓｔｏｒａｇｅ動作することができる。さらに、デジタルビデオカメラ１００が外部機器とデータの送受信を行っている最中に、バッテリー３１０が切れることを出来る限り防止することができる。
【００５１】
本実施形態の説明は以上である。しかし、本発明は、この内容に限定されない。まず、本実施形態にかかるデジタルビデオカメラ１００の光学系及び駆動系は、図１に示すものに限定されない。例えば、図１では３群構成の光学系を例示しているが、２群、４群構成などの他の群構成のレンズ構成としてもよい。また、それぞれのレンズは、１つのレンズで構成してもよく、複数のレンズから構成されるレンズ群として構成してもよい。
【００５２】
さらに、撮像素子として、ＣＣＤイメージセンサー１６０を例示したが、本発明はこれに限定されない。例えば、ＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）イメージセンサーで構成してもよく、ＮＭＯＳ（ｎｅｇａｔｉｖｅ ｃｈａｎｎｅｌ Ｍｅｔａｌ Ｏｘｉｄｅ Ｓｅｍｉｃｏｎｄｕｃｔｏｒ）イメージセンサーで構成してもよい。あるいは、３ＣＣＤ、３ＭＯＳイメージセンサーで構成してもよい。
【００５３】
また、本実施形態では、外部機器によりバッテリー３１０を充電するか否かの判断に用いる電流の大きさを５００ｍＡとしたが、本発明はこれに限定されない。例えば、１００ｍＡや２００ｍＡであってもよい。要するに、充電に必要なデジタルビデオカメラ１００の内部構成を起動するのに足りる容量であればいくらであってもよい。
【００５４】
また、本実施形態では、充電モードにおいて外部機器から電流を引き込めるか否かを判定するために用いた閾値と、Ｍａｓｓ Ｓｔｏｒａｇｅモードにおいて外部機器から電流を引き込めるか否かを判定するために用いた閾値とは同じであるが、異なっていてもよい。
【００５５】
さらに、本実施形態では、Ｍａｓｓ Ｓｔｏｒａｇｅモードで用いた第１閾値および第２閾値（図５）をそれぞれ、１０％及び２０％としたが、本発明はこれに限定されない。第１閾値が第２閾値よりも小さければ、閾値自体は任意に設定できる。
【００５６】
本実施形態では、充電モードにおいて、カメラ制御部２１８及びＵＳＢブロック２１７のみをオンしているが（図４ＡのＳ２３０及びＳ２４０）、カメラ制御部２１８及び装置制御部２１６の全体をオンしてもよい。
【００５７】
本実施形態では、外部機器と接続するためのインタフェースとして、ＵＳＢ接続部２９０を例示したが、外部機器と相互通信可能で、かつ、外部機器から電流供給を受けることができるものであれば、ＵＳＢ接続部２９０に代えて、他の規格のインタフェースを採用しても良い。例えば、ＩＥＥＥ１３９４端子を利用しても良い。
【００５８】
また、本実施形態では、本発明をデジタルビデオカメラに適用した例を示したが、本発明はこれに限定されない。本発明は、例えば、デジタルスチルカメラや携帯電話やパーソナルコンピュータや携帯音楽プレイヤー等にも適用可能である。
【産業上の利用可能性】
【００５９】
本発明は、デジタルビデオカメラやデジタルスチルカメラ等の電子機器に適用できる。
【符号の説明】
【００６０】
１００    デジタルカメラ
１１０    撮像光学系
１１０ａ    レンズ
１１０ｂ    ＯＩＳ
１１０ｃ    フォーカスレンズ
１２０    検出器
１３０    ズームモータ
１４０    ＯＩＳアクチュエータ
１５０    検出器
１６０    ＣＣＤイメージセンサー
１７０    画像処理部
２００    メモリ
２１０    制御部
２１１    給電制御部
２１２    制御パラメータ
２１６    装置制御部
２１７    判定部
２２０    ジャイロセンサー
２３０    カードスロット
２４０    メモリカード
２５０    操作部材
２６０    ズームレバー
２７０    液晶モニタ
２８０    内部メモリ
２９０    外部機器接続部
３００    ＡＣ接続部
３１０    バッテリー
【図１】
0005628022.tif 000002
【図２】
0005628022.tif 000003
【図３】
0005628022.tif 000004
【図４Ａ】
0005628022.tif 000005
【図４Ｂ】
0005628022.tif 000006
【図５】
0005628022.tif 000007